(57)【要約】【課題】奥行きのある画像を観察者が奥行き感を知覚できるように表示させることができる車両用表示装置、および車両用表示方法を提供することを目的とする。【解決手段】車両用表示装置は、連続する単一の意匠が分割されてなる複数の分割意匠を生成する意匠表示部と、対応する分割意匠をそれぞれ虚像表示する複数の虚像表示部と、を備え、各虚像表示部は、複数の分割意匠のうち、運転者の視線方向で手前側に相当する分割意匠である手前側分割意匠が、運転者の視線方向で奥側に相当する分割意匠である奥側分割意匠に対して手前側から連なるように表示する。【選択図】図１
2017030737.tif 000002
【特許請求の範囲】
【請求項１】
連続する単一の意匠が分割されてなる複数の分割意匠を生成する意匠表示部と、
対応する分割意匠をそれぞれ虚像表示する複数の虚像表示部と、を備え、
各虚像表示部は、複数の分割意匠のうち、運転者の視線方向で手前側に相当する分割意匠である手前側分割意匠が、運転者の視線方向で奥側に相当する分割意匠である奥側分割意匠に対して手前側から連なるように表示する、車両用表示装置。
【請求項２】
前記複数の分割意匠は、ｎ（ｎは２以上の整数）個の分割意匠を備え、
前記意匠表示部は、
ｎ個の表示領域を有する液晶表示部、を備え、
前記ｎ個の表示領域のうち第１の表示領域には、前記手前側分割意匠が表示され、
前記ｎ個の表示領域のうち第ｎの表示領域には、前記奥側分割意匠が表示される、請求項１に記載の車両用表示装置。
【請求項３】
前記複数の虚像表示部は、
１個のミラーと、
（ｎ−１）個のハーフミラーと、を備え、
前記ミラーは、前記第ｎの表示領域に表示された前記奥側分割意匠を反射し、
前記（ｎ−１）個のハーフミラーのうち前記複数の分割意匠が投影される投影面に最も近い第１のハーフミラーは、前記ミラーによって反射された前記奥側分割意匠を透過し、かつ、前記第１の表示領域に表示された前記手前側分割意匠を反射して、前記投影面に投影する、請求項２に記載の車両用表示装置。
【請求項４】
前記複数の分割意匠は、３個の分割意匠を備え、
前記意匠表示部は、
３個の表示領域を有する液晶表示部、を備え、
前記３個の表示領域のうち第１の表示領域には、前記手前側分割意匠が表示され、
前記３個の表示領域のうち第３の表示領域には、前記奥側分割意匠が表示され、
前記３個の表示領域のうち第２の表示領域には、前記手前側分割意匠と前記奥側分割意匠との間の分割意匠である中間分割意匠が表示され、
前記複数の虚像表示部は、
１個のミラーと、
第１のハーフミラーと、
第２のハーフミラーと、を備え、
前記複数の分割意匠が投影される投影面に近い順に、前記第１のハーフミラー、前記第２のハーフミラー、前記ミラーが配置され、
前記ミラーは、前記第３の表示領域に表示された前記奥側分割意匠を反射し、
前記第２のハーフミラーは、前記ミラーによって反射された前記奥側分割意匠を透過し、かつ、前記第２の表示領域に表示された前記中間分割意匠を反射し、
前記第１のハーフミラーは、前記第２のハーフミラーによって透過された前記奥側分割意匠と、前記第２のハーフミラーによって反射された前記中間分割意匠とを透過し、かつ、前記第３の表示領域に表示された前記手前側分割意匠を反射して、前記投影面に投影する、請求項１に記載の車両用表示装置。
【請求項５】
前記複数の分割意匠は、互いに隣接する分割意匠間で連続する線分を有していない、請求項１から請求項４のいずれか１項に記載の車両用表示装置。
【請求項６】
前記手前側分割意匠は、前記複数の分割意匠のうち、運転者によって選択された意匠の一部である、請求項１から請求項５のいずれか１項に記載の車両用表示装置。
【請求項７】
意匠表示部が、連続する単一の意匠が分割されてなる複数の分割意匠を生成する意匠表示手順と、
虚像表示部が、前記意匠表示部によって分割された分割意匠のうち、対応する分割意匠をそれぞれ虚像表示する複数の虚像表示手順と、
を含み、
各虚像表示手順は、複数の分割意匠のうち、運転者の視線方向で手前側に相当する分割意匠である手前側分割意匠が、運転者の視線方向で奥側に相当する分割意匠である奥側分割意匠に対して手前側から連なるように表示する、車両用表示方法。
【発明の詳細な説明】
【技術分野】
【０００１】
本発明は、車両用表示装置、および車両用表示方法に関する。
【背景技術】
【０００２】
運転情報を運転者の視界に重ねて、車両のフロントガラスに表示させるＨＵＤ（ヘッドアップディスプレイ）が開発されている。運転情報とは、例えば速度、カーナビゲーションに関する情報等である。ＨＵＤでは、例えば、投影された画像を車両のフロントウィンドウに投影し、フロントウィンドウを透過した背景の画像と、フロントウィンドウに投影された画像による虚像とが合成された画像が観察者に視認される。ここで、投影される画像は二次元の画像であり、視認される画像も二次元の画像である。
近年、奥行きのある画像の奥行き感を観察者によって知覚できるＨＵＤが求められている。ここで、奥行きのある画像とは、例えば、交差点などでの進行方向を矢印アイコンなどの画像によって表示させるターンバイターン（Ｔｕｒｎ−ｂｙ−Ｔｕｒｎ）画像、進行方向を方位磁針の画像と共に表示させるコンパス画像等である。
【０００３】
観察者が奥行き感を知覚できるＨＵＤとして、液晶パネルに投影された異なる３つの画像を、２枚のハーフミラーと１枚のミラーを用いて同時に表示させることで、立体的に表示させる表示装置が提案されている。ここで、異なる３つの画像とは、第１の画像が車速メータとエンジン回転計の画像であり、第２の画像が燃料計と水温計と各種表示灯および警告灯の画像であり、第３の画像が車速のデジタル表示の画像である（例えば、特許文献１参照）。
【先行技術文献】
【特許文献】
【０００４】
【特許文献１】特開２００５−１１９４７１号公報
【発明の概要】
【発明が解決しようとする課題】
【０００５】
しかしながら、特許文献１に記載の技術では、複数の異なる画像を２枚のハーフミラーと１枚のミラーを用いて同時に表示させているので、ターンバイターン画像やコンパス画像等を奥行きがあるように表示させることができなかった。
【０００６】
本発明は上記の点に鑑みてなされたものであり、奥行きのある画像を観察者が奥行き感を知覚できるように表示させることができる車両用表示装置、および車両用表示方法を提供することを目的とする。
【課題を解決するための手段】
【０００７】
（１）上記目的を達成するため、本発明の一態様に係る車両用表示装置は、連続する単一の意匠が分割されてなる複数の分割意匠を生成する意匠表示部と、対応する分割意匠をそれぞれ虚像表示する複数の虚像表示部と、を備え、各虚像表示部は、複数の分割意匠のうち、運転者の視線方向で手前側に相当する分割意匠である手前側分割意匠が、運転者の視線方向で奥側に相当する分割意匠である奥側分割意匠に対して手前側から連なるように表示する。
【０００８】
（２）また、本発明の一態様に係る車両用表示装置において、前記複数の分割意匠は、ｎ（ｎは２以上の整数）個の分割意匠を備え、前記意匠表示部は、ｎ個の表示領域を有する液晶表示部、を備え、前記ｎ個の表示領域のうち第１の表示領域には、前記手前側分割意匠が表示され、前記ｎ個の表示領域のうち第ｎの表示領域には、前記奥側分割意匠が表示されるようにしてもよい。
【０００９】
（３）また、本発明の一態様に係る車両用表示装置において、前記複数の虚像表示部は、１個のミラーと、（ｎ−１）個のハーフミラーと、を備え、前記ミラーは、前記第ｎの表示領域に表示された前記奥側分割意匠を反射し、前記（ｎ−１）個のハーフミラーのうち前記複数の分割意匠が投影される投影面に最も近い第１のハーフミラーは、前記ミラーによって反射された前記奥側分割意匠を透過し、かつ、前記第１の表示領域に表示された前記手前側分割意匠を反射して、前記投影面に投影するようにしてもよい。
【００１０】
（４）また、本発明の一態様に係る車両用表示装置において、前記複数の分割意匠は、３個の分割意匠を備え、前記意匠表示部は、３個の表示領域を有する液晶表示部、を備え、前記３個の表示領域のうち第１の表示領域には、前記手前側分割意匠が表示され、前記３個の表示領域のうち第３の表示領域には、前記奥側分割意匠が表示され、前記３個の表示領域のうち第２の表示領域には、前記手前側分割意匠と前記奥側分割意匠との間の分割意匠である中間分割意匠が表示され、前記複数の虚像表示部は、１個のミラーと、第１のハーフミラーと、第２のハーフミラーと、を備え、前記複数の分割意匠が投影される投影面に近い順に、前記第１のハーフミラー、前記第２のハーフミラー、前記ミラーが配置され、前記ミラーは、前記第３の表示領域に表示された前記奥側分割意匠を反射し、前記第２のハーフミラーは、前記ミラーによって反射された前記奥側分割意匠を透過し、かつ、前記第２の表示領域に表示された前記中間分割意匠を反射し、前記第１のハーフミラーは、前記第２のハーフミラーによって透過された前記奥側分割意匠と、前記第２のハーフミラーによって反射された前記中間分割意匠とを透過し、かつ、前記第３の表示領域に表示された前記手前側分割意匠を反射して、前記投影面に投影するようにしてもよい。
【００１１】
（５）また、本発明の一態様に係る車両用表示装置において、前記複数の分割意匠は、互いに隣接する分割意匠間で連続する線分を有していないようにしてもよい。
（６）また、本発明の一態様に係る車両用表示装置において、前記手前側分割意匠は、前記複数の分割意匠のうち、運転者によって選択された意匠の一部であるようにしてもよい。
【００１２】
（７）上記目的を達成するため、本発明の一態様に係る車両用表示方法は、意匠表示部が、連続する単一の意匠が分割されてなる複数の分割意匠を生成する意匠表示手順と、虚像表示部が、前記意匠表示部によって分割された分割意匠のうち、対応する分割意匠をそれぞれ虚像表示する複数の虚像表示手順と、を含み、各虚像表示手順は、複数の分割意匠のうち、運転者の視線方向で手前側に相当する分割意匠である手前側分割意匠が、運転者の視線方向で奥側に相当する分割意匠である奥側分割意匠に対して手前側から連なるように表示する。
【発明の効果】
【００１３】
（１）〜（４）、（７）によれば、奥行きのある画像を観察者が奥行き感を知覚できるように表示させることができる。
【００１４】
（５）によれば、部品の取り付け精度不良や部品の経年変化等が生じた場合であっても、互いに隣接する分割意匠間で連続する線分を有していないため、連続する垂直方向の線等の画像が水平方向にずれて見えることを低減することができる。
（６）によれば、運転者によって選択された箇所の画像を最も手前に表示されることができるので、運転者が選択した箇所を強調して表示することができる。
【図面の簡単な説明】
【００１５】
【図１】第１実施形態に係る車両用表示装置の概略の構成図である。
【図２】第１実施形態に係る液晶パネル、ミラー、第２のハーフミラー、および第１のハーフミラーの断面図、反射光と透過光を説明する図である。
【図３】第１実施形態に係る表示画像、分割された表示画像、虚像、運転者に視認される画像の例を示す図である。
【図４】第１実施形態に係る表示画像、分割された表示画像、虚像、運転者に視認される画像の他の例を示す図である。
【図５】第１実施形態に係る車両用表示装置が行う処理のフローチャートである。
【図６】重畳された複数の表示画像を運転者が視認したとき、連続する垂直方向の線等の画像が水平方向にずれて見える例を表す図である。
【図７】第２実施形態に係る分割される領域で非連続な線および画像を有する表示画像に基づく運転者によって視認される画像の例を表す図である。
【図８】第２実施形態に係る車両用表示装置の概略の構成図である。
【図９】第２実施形態に係る表示画像、液晶パネルに表示される画像、虚像、運転者に視認される画像の例を示す図である。
【図１０】第２実施形態に係る表示画像、液晶パネルに表示される画像、虚像、運転者に視認される画像の他の例を示す図である。
【図１１】第２実施形態に係る車両用表示装置が行う処理のフローチャートである。
【図１２】第２実施形態に係る液晶パネルに表示される画像、虚像、運転者に視認される画像それぞれが時系列で変化する例を表す図である。
【図１３】第３実施形態に係る車両用表示装置の概略の構成図である。
【図１４】第３実施形態に係る電話帳の表示画像の例、運転者に視認される画像の例である。
【図１５】第３実施形態に係る運転者によって選択された箇所に応じて表示画像を分割する例を表す図である。
【図１６】実施形態に係る液晶パネルの３つの分割された領域に警告表示を行う例を表す図である。
【発明を実施するための形態】
【００１６】
以下、図面を参照しながら本発明の実施形態について説明する。また、以下の説明では、車両用表示装置として、車両に設置されるＨＵＤ（ヘッドアップディスプレイ；Ｈｅａｄ−Ｕｐ  Ｄｉｓｐｌａｙ）を例にして説明を行う。
【００１７】
［第１実施形態］
まず、車両用表示装置１の構成を説明する。
図１は、本実施形態に係る車両用表示装置１の概略の構成図である。図２は、本実施形態に係る液晶パネル３４、ミラー４２、第２のハーフミラー４４、および第１のハーフミラー４６の断面図、反射光と透過光を説明する図である。
【００１８】
図１に示すように、車両用表示装置１は、画像出力装置１０、意匠表示部３０、虚像表示部４０を備えている。車両用表示装置１は、投影面５０に画像を投影する。
【００１９】
意匠表示部３０は、画像分割部３２、および液晶パネル３４を備える。また、液晶パネル３４は、投影面５０に近い順に、第１の表示領域３４２、第２の表示領域３４４、第３の表示領域３４６を備える。なお、本実施形態では、１つの液晶パネル３４が３つの表示領域を備える例を説明するが、液晶パネル３４は、３つの液晶パネルから構成されていてもよい。
【００２０】
虚像表示部４０は、投影面５０に近い順に、第１のハーフミラー４６、第２のハーフミラー４４、ミラー４２を備えている。なお、虚像表示部４０は、不図示の結像レンズ等を備えていてもよい。
【００２１】
＜車両用表示装置１の動作、機能＞
次に、車両用表示装置１の動作と機能について説明する。
画像出力装置１０は、運転者（観察者）に提供する連続する単一の意匠である表示画像を画像分割部３２に出力する。ここで、連続する単一の意匠である表示画像とは、車両の進行方向と方位磁針とのコンパス画像、交差点などでの進行方向を矢印アイコンなどの画像を表示させるターンバイターン画像、ＬＫＡＳ（レーンキープアシストシステム；車線維持支援システム）による画像、ＡＣＣ（アダプティブクルーズコントロール）による画像等である。なお、ＬＫＡＳとは、高速道路等を走行中に、車両が車線をはみ出さないようにするためのシステムである。また、ＡＣＣとは、車両に搭載されたレーダーが、自車両の前を走る車両を捉え、車間距離や速度差を測ることによって、前の車両への追従を可能にするシステムである。また、画像出力装置１０から出力される表示画像は、二次元画像である。画像ｇ３００は、車両用表示装置１によって表示された画像の例であり、運転者には奥行き感のある画像として知覚される。
【００２２】
画像分割部３２は、画像出力装置１０が出力した表示画像を、画像ｇ１００に示すように、近景画像ｇ１０２、中景画像ｇ１０４、遠景画像ｇ１０６に分割する。なお、画像分割部３２は、近景画像、中景画像、遠景画像それぞれにおいて、分割した領域以外の領域を黒画像にする。画像ｇ１００は、液晶パネル３４に表示される画像分割部３２によって分割された表示画像である。また、近景画像ｇ１０２とは、運転者の視線方向で手前側に相当する意匠の一部の分割意匠である。以下、実施形態では、運転者の視線方向で手前側に相当する意匠の一部の分割意匠を、手前側分割意匠ともいう。遠景画像ｇ１０６とは、運転者の視線方向で奥側に相当する意匠の一部の分割意匠である。以下、実施形態では、運転者の視線方向で奥側に相当する意匠の一部の分割意匠を、奥側分割意匠ともいう。中景画像ｇ１０４とは、運転者の視線方向で手前側分割意匠と奥側分割意匠との間に相当する意匠の一部の分割意匠である。以下、実施形態では、手前側分割意匠と奥側分割意匠との間に相当する意匠の一部の分割意匠を、中間分割意匠ともいう。なお、画像分割部３２は、液晶パネル３４の駆動回路も有している。
画像分割部３２は、分割した近景画像ｇ１０２を第１の表示領域３４２に表示させ、中景画像ｇ１０４を第２の表示領域３４４に表示させ、遠景画像ｇ１０６を第３の表示領域３４６に表示させる。
【００２３】
液晶パネル３４の第１の表示領域３４２には、画像分割部３２によって近景画像ｇ１０２が表示される。
第２の表示領域３４４には、画像分割部３２によって中景画像ｇ１０４が表示される。
第３の表示領域３４６には、画像分割部３２によって遠景画像ｇ１０６が表示される。
【００２４】
ミラー４２は、全反射ミラーである。ミラー４２は、図２に示すように、第３の表示領域３４６に表示されている遠景画像ｇ１０６を反射する。ミラー４２によって反射された遠景画像ｇ１０６は、第２のハーフミラー４４と第１のハーフミラー４６を透過し、透過した遠景画像ｇ１０６が投影面５０に投影される。
【００２５】
第２のハーフミラー４４および第１のハーフミラー４６それぞれは、反射率と透過率とが略１：１である。
第２のハーフミラー４４は、図２に示すように、第２の表示領域３４４に表示されている中景画像ｇ１０４を反射し、かつ、ミラー４２が反射した遠景画像ｇ１０６を透過する。第２のハーフミラー４４によって反射された中景画像ｇ１０４は、第１のハーフミラー４６を透過し、透過した中景画像ｇ１０４が投影面５０に投影される。
【００２６】
第１のハーフミラー４６は、図２に示すように、第１の表示領域３４２に表示されている近景画像ｇ１０２を反射し、かつ、第２のハーフミラー４４が透過した遠景画像ｇ１０６を透過し、さらに、第２のハーフミラー４４が反射した中景画像ｇ１０４を透過する。第１のハーフミラー４６によって反射された近景画像ｇ１０２は、投影面５０に投影される。
【００２７】
投影面５０は、例えば車両用のフロントウィンドウ（フロントグラスともいう）である。投影面５０には、車両用表示装置１によって投影された近景画像ｇ１０２、中景画像ｇ１０４、および遠景画像ｇ１０６が投影される。投影面５０の車両の外側には、投影された画像に基づく虚像ｇ２００が形成される。虚像ｇ２００には、投影面５０から距離が近い順に、近景画像ｇ１０２に基づく虚像である近景虚像ｇ２０２、中景画像ｇ１０４に基づく虚像である中景虚像ｇ２０４、遠景画像ｇ１０６に基づく虚像である遠景虚像ｇ２０６が形成される。なお、近景虚像ｇ２０２は、投影面５０から最も近い位置に形成される。遠景虚像ｇ２０６は、近景虚像ｇ２０２、中景虚像ｇ２０４、遠景虚像ｇ２０６のうち投影面５０から最も遠い位置に形成される。中景虚像ｇ２０４は、近景虚像ｇ２０２と遠景虚像ｇ２０６との間の位置に形成される。
【００２８】
運転者は、車両の外側の背景と、車両の外側に形成された近景虚像ｇ２０２と中景虚像ｇ２０４と遠景虚像ｇ２０６と、が合成された画像を視認する。
【００２９】
＜表示画像、分割された表示画像、虚像、運転者に視認される画像＞
次に、表示画像、分割された表示画像、虚像、運転者に視認される画像の例を説明する。
図３は、本実施形態に係る表示画像、分割された表示画像、虚像、運転者に視認される画像の例を示す図である。図３に示す例は、コンパス画像の例である。
【００３０】
画像ｇ１０は、画像出力装置１０から出力される表示画像である。表示画像ｇ１０は、例えば予め定められているラインｂ１、ｂ２によって、近景用の画像ｇ１０２ａ、中景用の画像ｇ１０４ａ、遠景用の画像ｇ１０６ａとの３つに画像分割部３２によって分割される。なお、画像分割部３２は、周知の画像認識手法を用いて、表示画像に含まれる所定の輝度以上の画像を抽出し、抽出した画像に基づいて分割する領域を決定するようにしてもよい。
【００３１】
液晶パネル３４に表示される画像には、近景画像ｇ１０２、中景画像ｇ１０４、遠景画像ｇ１０６が含まれる。液晶パネル３４に表示される画像には、近景画像ｇ１０２の上側に画像が表示されない領域（以下、非表示領域という）ｇ１０１、近景画像ｇ１０２と中景画像ｇ１０４との間に非表示領域ｇ１０３、中景画像ｇ１０４と遠景画像ｇ１０６との間に非表示領域ｇ１０５、遠景画像ｇ１０６の下側に非表示領域ｇ１０７が、さらに含まれる。
【００３２】
近景画像ｇ１０２は、近景用の画像ｇ１０２ａと、黒画像ｇ１０２ｂとによって構成されている。画像分割部３２は、近景用の画像ｇ１０２ａ以外の領域を黒画像ｇ１０２ｂにする。
中景画像ｇ１０４は、中景用の画像ｇ１０４ａと、黒画像ｇ１０４ｂと、黒画像ｇ１０４ｃとによって構成されている。画像分割部３２は、中景用の画像ｇ１０４ａ以外の領域を黒画像ｇ１０４ｂと黒画像ｇ１０４ｃにする。
遠景画像ｇ１０６は、遠景用の画像ｇ１０６ａと、黒画像ｇ１０６ｂとによって構成されている。画像分割部３２は、遠景用の画像ｇ１０６ａ以外の領域を黒画像ｇ１０６ｂにする。
図３の虚像ｇ２００に示すように、近景画像ｇ１０２が中景画像ｇ１０４に対して手前側から連なるように表示され、中景画像ｇ１０４が遠景画像ｇ１０６に対して手前側から連なるように表示するように、液晶パネル３４の各表示領域に表示される。
【００３３】
なお、画像分割部３２は、分割した近景用の画像ｇ１０２ａ、中景用の画像ｇ１０４ａ、遠景用の画像ｇ１０６ａそれぞれの輝度を検出するようにしてもよい。そして、画像分割部３２は、検出したぞれぞれの輝度が所定の範囲内の場合、分割した表示画像のうち近景用の画像ｇ１０２ａの輝度を中景用の画像ｇ１０４ａより高くし、遠景用の画像ｇ１０６ａの輝度を中景用の画像ｇ１０４ａより低くするようにしてもよい。これにより、本実施形態によれば、近景用の画像ｇ１０２ａ、中景用の画像ｇ１０４ａ、遠景用の画像ｇ１０６ａの輝度を異ならせることで、運転者が表示画像を視認したとき、より遠近感を知覚することができる。
【００３４】
虚像ｇ２００には、近景画像ｇ１０２の近景虚像ｇ２０２、中景画像ｇ１０４の中景虚像ｇ２０４、遠景画像ｇ１０６の遠景虚像ｇ２０６が形成される。
近景虚像ｇ２０２と中景虚像ｇ２０４とが重畳されるため、近景虚像ｇ２０２の円ｚ１で囲んだ領域は、中景虚像ｇ２０４の円ｚ１１で囲んだ領域と連続した画像となり、近景虚像ｇ２０２の円ｚ２で囲んだ領域は、中景虚像ｇ２０４の円ｚ１２で囲んだ領域と連続した画像となる。
中景虚像ｇ２０４と遠景虚像ｇ２０６とが重畳されるため、中景虚像ｇ２０４の円ｚ２１で囲んだ領域は、遠景虚像ｇ２０６の円ｚ３１で囲んだ領域と連続した画像となり、中景虚像ｇ２０４の円ｚ２２で囲んだ領域は、遠景虚像ｇ２０６の円ｚ３２で囲んだ領域と連続した画像となる。
【００３５】
そして、近景虚像ｇ２０２と中景虚像ｇ２０４と遠景虚像ｇ２０６とが重畳され、運転者には、画像ｇ３００に示す画像が視認される。
【００３６】
次に、ターンバイターン画像の例を説明する。
図４は、本実施形態に係る表示画像、分割された表示画像、虚像、運転者に視認される画像の他の例を示す図である。図４に示す例は、ターンバイターン画像の例である。
【００３７】
画像ｇ１０Ａは、画像出力装置１０から出力される表示画像である。表示画像ｇ１０Ａは、近景用の画像ｇ１０２Ａａおよびｇ１０２Ａｂ、中景用の画像ｇ１０４Ａａ、遠景用の画像ｇ１０６Ａａに画像分割部３２によって分割される。
例えば、近景画像ｇ１０２Ａは、近景用の画像ｇ１０２Ａａおよびｇ１０２Ａｂと、黒画像ｇ１０２Ａｃとによって構成されている。画像分割部３２は、近景用の画像ｇ１０２Ａａおよびｇ１０２Ａｂ以外の領域を黒画像ｇ１０２Ａｃにする。
【００３８】
液晶パネル３４に表示される画像ｇ１００Ａには、非表示領域ｇ１０１、近景画像ｇ１０２Ａ、非表示領域ｇ１０３、中景画像ｇ１０４Ａ、非表示領域ｇ１０５、遠景画像ｇ１０６Ａ、非表示領域ｇ１０７が含まれる。
図４に示す例においても、近景画像ｇ１０２Ａが中景画像ｇ１０４Ａに対して手前側から連なるように表示され、中景画像ｇ１０４Ａが遠景画像ｇ１０６Ａに対して手前側から連なるように表示するように、液晶パネル３４の各表示領域に表示される。
【００３９】
そして、近景虚像ｇ２０２Ａと中景虚像ｇ２０４Ａと遠景虚像ｇ２０６Ａとが重畳され、運転者には、画像ｇ３００Ａに示す画像が視認される。
【００４０】
＜車両用表示装置１の処理＞
次に、車両用表示装置１が行う処理手順の例を説明する。
図５は、本実施形態に係る車両用表示装置１が行う処理のフローチャートである。
（ステップＳ１）画像出力装置１０は、運転者に提供する連続する単一の意匠である表示画像を画像分割部３２に出力する。
【００４１】
（ステップＳ２）画像分割部３２は、画像出力装置１０が出力した表示画像を、近景用の画像、中景用の画像、遠景用の画像に分割する。続けて、画像分割部３２は、近景用の画像以外の領域を黒画像にして近景画像を生成する。続けて、画像分割部３２は、中景用の画像以外の領域を黒画像にして中景画像を生成する。続けて、画像分割部３２は、遠景用の画像以外の領域を黒画像にして遠景画像を生成する。なお、表示画像を分割する工程とは、近景画像、中景画像、遠景画像を生成する工程を含む。
【００４２】
（ステップＳ３）画像分割部３２は、分割した近景画像を第１の表示領域３４２に表示させ、中景画像を第２の表示領域３４４に表示させ、遠景画像を第３の表示領域３４６に表示させる。
すなわち、画像分割部３２は、中側分割意匠（中景画像）が、複数の分割意匠（近景画像、中景画像、遠景画像）のうち、運転者の視線方向で手前側に相当する分割意匠である手前側分割意匠（近景画像）が、運転者の視線方向で奥側に相当する分割意匠である中側分割意匠（中景画像）に対して手前側から連なるように表示させる。さらに、画像分割部３２は、複数の分割意匠の奥側分割意匠（遠景画像）に対して手前側から連なるように表示させる。これにより、運転者から見て、手前から近景画像、中景画像、遠景画像が連なるように表示される。
【００４３】
（ステップＳ４）ミラー４２は、第３の表示領域３４６に表示されている遠景画像を反射する。ミラー４２によって反射された遠景画像は、第２のハーフミラー４４と第１のハーフミラー４６を透過し、透過した遠景画像が投影面５０に投影される。続けて、第２のハーフミラー４４は、第２の表示領域３４４に表示されている中景画像を反射し、かつ、ミラー４２が反射した遠景画像を透過する。そして、第２のハーフミラー４４によって反射された中景画像は、第１のハーフミラー４６を透過し、透過した中景画像が投影面５０に投影される。続けて、第１のハーフミラー４６は、第１の表示領域３４２に表示されている近景画像を反射し、かつ、第２のハーフミラー４４が透過した遠景画像を透過し、さらに、第２のハーフミラー４４が反射した中景画像を透過する。第１のハーフミラー４６によって反射された近景画像は、投影面５０に投影される。
【００４４】
（ステップＳ５）投影面５０には、車両用表示装置１によって投影された近景画像、中景画像、および遠景画像が投影される。この結果、投影面５０の車両の外側には、投影された画像に基づく虚像ｇ２００（近景虚像ｇ２０２、中景虚像ｇ２０４、遠景虚像ｇ２０６）が形成される。
運転者は、このように形成された近景虚像ｇ２０２、中景虚像ｇ２０４、遠景虚像ｇ２０６が重畳された画像を視認する。
【００４５】
なお、上述した例では、１つの連続する表示画像を３つに分割する例を説明したが、分割数は２つ、４つ以上であってもよい。２つに分割する場合、例えば近景画像と中景画像、または中景画像と遠景画像の組み合わせであってもよい。液晶パネル３４は、表示画像が２つの場合、少なくとも２つの表示領域を備え、表示画像が４つ以上の場合は表示画像に応じた数の表示領域を備えているようにしてもよい。
【００４６】
また、画像出力装置１０は、例えば所定の画素ブロック（例えば１０画素×１０画素）毎に画像情報に近景用、中景用、遠景用のうちのいずれかであることを示す情報を関連付けて、画像分割部３２に出力するようにしてもよい。画像分割部３２は、画像出力装置１０から出力された画像情報に関連付けられている近景用、中景用、遠景用のうちのいずれかであることを示す情報に基づいて、近景用の画像、中景用の画像、遠景用の画像に分割するようにしてもよい。なお、画像分割部３２の機能を画像出力装置１０が備え、画像出力装置１０が連続する単一の意匠である表示画像を近景画像、中景画像、遠景画像に分割して、分割した近景画像、中景画像、遠景画像を液晶パネル３４に出力するようにしてもよい。
【００４７】
以上のように、本実施形態の車両用表示装置は、連続する単一の意匠（例えば、表示画像ｇ１０）が分割されてなる複数の分割意匠（例えば、近景画像ｇ１０２、中景画像ｇ１０４、遠景画像ｇ１０６）を生成する意匠表示部｛画像出力装置１０、意匠表示部３０（画像分割部３２、液晶パネル３４）｝と、対応する分割意匠をそれぞれ虚像表示する複数の虚像表示部｛虚像表示部４０（ミラー４２、第２のハーフミラー４４、第１のハーフミラー４６）｝と、を備え、各虚像表示部は、複数の分割意匠のうち、運転者の視線方向で手前側に相当する分割意匠である手前側分割意匠（例えば、近景画像ｇ１０２）が、運転者の視線方向で奥側に相当する分割意匠である奥側分割意匠（例えば、遠景画像ｇ１０６）に対して手前側から連なるように表示する。
【００４８】
この構成によって、本実施形態によれば、連続する１つの意匠である表示画像を近景画像、中景画像、遠景画像に分割し、分割した画像が手前側から連なるように表示するようにしたので、奥行きのある画像を観察者が奥行き感を知覚できるように表示させることができる。
【００４９】
また、本実施形態の車両用表示装置において、複数の分割意匠は、ｎ（ｎは２以上の整数）個の分割意匠（例えば、ｎ＝３）を備え、意匠表示部３０（画像分割部３２、液晶パネル３４）は、ｎ個の表示領域（第１の表示領域３４２、第２の表示領域３４４、第３の表示領域３４６）を有する液晶表示部（液晶パネル３４）、を備え、ｎ個の表示領域のうち第１の表示領域（例えば第１の表示領域３４２）には、手前側分割意匠（例えば近景画像）が表示され、ｎ個の表示領域のうち第ｎの表示領域（例えば第３の表示領域３４６）には、奥側分割意匠（例えば遠景画像）が表示される。
また、本実施形態の車両用表示装置において、複数の虚像表示部｛虚像表示部４０（ミラー４２、第２のハーフミラー４４、第１のハーフミラー４６）｝は、１個のミラー４２と、（ｎ−１）個のハーフミラー（例えば、第２のハーフミラー４４、第１のハーフミラー４６）と、を備え、ミラーは、第ｎの表示領域（第３の表示領域３４６）に表示された奥側分割意匠（遠景画像）を反射し、（ｎ−１）個のハーフミラーのうち複数の分割意匠が投影される投影面に最も近い第１のハーフミラー４６は、ミラーによって反射された奥側分割意匠を透過し、かつ、第１の表示領域３４２に表示された手前側分割意匠（近景画像）を反射して、投影面５０に投影する。
【００５０】
この構成によって、本実施形態によれば、例えば、分割された近景画像が液晶パネル３４の第１の表示領域３４２に表示され、遠景画像が第３の表示領域３４６に表示されるようにしたので、奥行きのある画像を観察者が奥行き感を知覚できるように表示させることができる。
【００５１】
また、本実施形態の車両用表示装置において、複数の分割意匠は、３個の分割意匠（近景画像、中景画像、遠景画像）を備え、意匠表示部３０（画像分割部３２、液晶パネル３４）は、３個の表示領域（第１の表示領域３４２、第２の表示領域３４４、第３の表示領域３４６）を有する液晶表示部（液晶パネル３４）、を備え、３個の表示領域のうち第１の表示領域３４２には、手前側分割意匠（例えば、近景画像ｇ１０２）が表示され、３個の表示領域のうち第３の表示領域３４６には、奥側分割意匠（例えば、遠景画像ｇ１０６）が表示され、３個の表示領域のうち第２の表示領域３４４には、手前側分割意匠と奥側分割意匠との間の分割意匠である中間分割意匠（例えば、中景画像ｇ１０４）が表示され、複数の虚像表示部｛虚像表示部４０（ミラー４２、第２のハーフミラー４４、第１のハーフミラー４６）｝は、１個のミラー４２と、第１のハーフミラー４６と、第２のハーフミラー４４と、を備え、複数の分割意匠が投影される投影面５０に近い順に、第１のハーフミラー、第２のハーフミラー、ミラーが配置され、ミラーは、第３の表示領域に表示された奥側分割意匠を反射し、第２のハーフミラーは、ミラーによって反射された奥側分割意匠を透過し、かつ、第２の表示領域に表示された中間分割意匠を反射し、第１のハーフミラーは、第２のハーフミラーによって透過された奥側分割意匠と、第２のハーフミラーによって反射された中間分割意匠とを透過し、かつ、第３の表示領域に表示された手前側分割意匠を反射して、投影面に投影する。
【００５２】
この構成によって、本実施形態によれば、分割された中景画像が液晶パネル３４の第１の表示領域３４２に表示され、第１の表示領域３４２に表示された中景画像が第１のハーフミラー４６によって投影面５０に投影され、近景虚像ｇ２０２として表示される。また、中景画像が第２の表示領域３４４に表示され、第２の表示領域３４４に表示された中景画像が第２のハーフミラー４４によって反射され、反射された中景画像が第１のハーフミラー４６を透過して投影面５０に投影され、中景虚像ｇ２０４として表示される。さらに、遠景画像が第３の表示領域３４６に表示され、第３の表示領域３４６に表示された遠景画像がミラー４２によって反射され、反射された遠景画像が第２のハーフミラー４４と第１のハーフミラー４６を透過して投影面５０に投影され、遠景虚像ｇ２０６として表示される。この結果、本実施形態によれば、奥行きのある画像を観察者が奥行き感を知覚できるように表示させることができる。
【００５３】
［第２実施形態］
第１実施形態では、連続する１つの表示画像を近景画像、中景画像、遠景画像の３つに分割し、分割した近景画像、中景画像、遠景画像それぞれを液晶パネル３４の異なる表示領域に表示させる例を説明した。
本実施形態では、重畳された複数の表示画像を運転者が視認したとき、連続する垂直方向の線等の画像が水平方向にずれて見えることを低減できる車両用表示装置１Ａについて説明する。
【００５４】
図６は、重畳された複数の表示画像を運転者が視認したとき、連続する垂直方向の線等の画像が水平方向にずれて見える例を表す図である。
画像ｇ４０１は、ターンバイターン画像である。画像ｇ４０１の例では、丸ｚ１０１および丸ｚ１０２で囲んだ領域の線および画像が連続している。このような画像ｇ４０１を３つに分割し、液晶パネル３４、ミラー４２、第２のハーフミラー４４、第１のハーフミラー４６によって投影された３つの虚像を運転者が視認したとき、部品の取り付け精度不良や部品の経年変化等によって、画像ｇ４０２の丸ｚ１０３、丸ｚ１０４で囲んだ領域のように水平方向にずれて見える場合がある。
【００５５】
図７は、本実施形態に係る分割される領域で非連続な線および画像を有する表示画像に基づく運転者によって視認される画像の例を表す図である。
画像ｇ４１１は、ターンバイターン画像である。画像ｇ４１１の例では、丸ｚ１１１および丸ｚ１１２で囲んだ領域の線および画像が非連続である。なお、実施形態では、このように非連続の線または画像を有する１つの表示画像であっても、単一のターンバイターン画像であるため連続する単一の意匠である。
画像ｇ４１２は、コンパス画像である。画像ｇ４１２の例では、例えば丸ｚ１２１で囲んだ領域の線および画像が非連続である。
【００５６】
＜車両用表示装置１Ａの構成＞
次に、車両用表示装置１Ａの構成について説明する。
図８は、本実施形態に係る車両用表示装置１Ａの概略の構成図である。図８に示すように、車両用表示装置１Ａは、画像出力装置１０、意匠表示部３０Ａ、虚像表示部４０を備えている。意匠表示部３０Ａは、画像分割部３２Ａ、および液晶パネル３４を備えている。なお、車両用表示装置１と同じ機能を有する構成要素には同じ符号を用いて説明を省略する。
【００５７】
画像分割部３２Ａは、画像出力装置１０が出力した表示画像を、近景画像、中景画像、遠景画像に分割する。画像分割部３２Ａは、分割した近景画像と中景画像との間で連続する線や画像の一部を削除し、分割された領域間で非連続にする。また、画像分割部３２Ａは、分割した中景画像と遠景画像との間で連続する線や画像の一部を削除し、分割された領域間で非連続にする。また、画像分割部３２Ａは、近景画像、中景画像、遠景画像それぞれにおいて、分割した領域以外の領域を黒画像にする。なお、画像分割部３２Ａは、液晶パネル３４の駆動回路も有している。画像分割部３２Ａは、分割した近景画像を第１の表示領域３４２に表示させ、中景画像を第２の表示領域３４４に表示させ、遠景画像を第３の表示領域３４６に表示させる。
なお、画像出力装置１０が所定の画素毎に近景画像、中景画像、遠景画像を示す情報を関連付けて画像分割部３２Ａに出力する場合、画像出力装置１０は、分割される領域の線や画像が非連続の表示画像を出力するようにしてもよい。
【００５８】
＜表示画像、液晶パネルに表示される画像、虚像、視認される画像＞
次に、表示画像、液晶パネルに表示される画像、虚像、視認される画像の一例を説明する。
図９は、本実施形態に係る表示画像、液晶パネルに表示される画像、虚像、運転者に視認される画像の例を示す図である。図９に示す表示画像は、コンパス画像の例である。
【００５９】
画像ｇ１０Ｂは、画像出力装置１０から出力される表示画像である。表示画像ｇ１０Ｂは、近景用の画像ｇ１０２Ｂａ、中景用の画像ｇ１０４Ｂａ、遠景用の画像ｇ１０６Ｂａに画像分割部３２Ａによって分割される。
近景画像ｇ１０２Ｂは、近景用の画像ｇ１０２Ｂａと、近景用の画像ｇ１０２Ｂａ以外の領域である黒画像とによって構成されている。
中景画像ｇ１０４Ｂは、中景用の画像ｇ１０４Ｂａと、中景用の画像ｇ１０４Ｂａ以外の領域である黒画像とによって構成されている。
遠景画像ｇ１０６Ｂは、遠景用の画像ｇ１０６Ｂａと、遠景用の画像ｇ１０６Ｂａ以外の領域である黒画像とによって構成されている。
【００６０】
液晶パネル３４に表示される画像には、非表示領域ｇ１０１、近景画像ｇ１０２Ｂ、非表示領域ｇ１０３、中景画像ｇ１０４Ｂ、非表示領域ｇ１０５、遠景画像ｇ１０６Ｂ、非表示領域ｇ１０７が含まれる。
図９に示す例においても、近景画像ｇ１０２Ｂが中景画像ｇ１０４Ｂに対して手前側から連なるように表示され、中景画像ｇ１０４Ｂが遠景画像ｇ１０６Ｂに対して手前側から連なるように表示するように、液晶パネル３４の各表示領域に表示される。
【００６１】
また、虚像ｇ２００Ｂには、投影面５０から近い順に、近景画像ｇ１０２Ｂに基づいて近景虚像ｇ２０２Ｂが形成され、中景画像ｇ１０４Ｂに基づいて中景虚像ｇ２０４Ｂが形成され、遠景画像ｇ１０６Ｂに基づいて遠景虚像ｇ２０６Ｂが形成される。
そして、近景虚像ｇ２０２Ｂと中景虚像ｇ２０４Ｂと遠景虚像ｇ２０６Ｂとが重畳され、運転者には、画像ｇ３００Ｂに示す画像が視認される。
【００６２】
次に、他の表示画像例を説明する。
図１０は、本実施形態に係る表示画像、液晶パネルに表示される画像、虚像、運転者に視認される画像の他の例を示す図である。図１０に示す例は、ターンバイターン画像の例である。
【００６３】
画像ｇ１０Ｃは、画像出力装置１０から出力される表示画像である。表示画像ｇ１０Ｃは、近景用の画像ｇ１０２Ｃａおよびｇ１０２Ｃｂ、中景用の画像ｇ１０４Ｃａ、遠景用の画像ｇ１０６Ｃａに画像分割部３２Ａによって分割される。
近景画像ｇ１０２Ｃは、近景用の画像ｇ１０２Ｃａおよびｇ１０２Ｃｂと、近景用の画像ｇ１０２Ｃａおよびｇ１０２Ｃｂ以外の領域である黒画像とによって構成されている。
中景画像ｇ１０４Ｃは、中景用の画像ｇ１０４Ｃａと、中景用の画像ｇ１０４Ｃａ以外の領域である黒画像とによって構成されている。
遠景画像ｇ１０６Ｃは、遠景用の画像ｇ１０６Ｃａと、遠景用の画像ｇ１０６Ｃａ以外の領域である黒画像とによって構成されている。
【００６４】
液晶パネル３４に表示される画像には、非表示領域ｇ１０１、近景画像ｇ１０２Ｃ、非表示領域ｇ１０３、中景画像ｇ１０４Ｃ、非表示領域ｇ１０５、遠景画像ｇ１０６Ｃ、非表示領域ｇ１０７が含まれる。
図１０に示す例においても、近景画像ｇ１０２Ｃが中景画像ｇ１０４Ｃに対して手前側から連なるように表示され、中景画像ｇ１０４Ｃが遠景画像ｇ１０６Ｃに対して手前側から連なるように表示するように、液晶パネル３４の各表示領域に表示される。
【００６５】
また、虚像ｇ２００Ｃには、投影面５０から近い順に、近景画像ｇ１０２Ｃに基づいて近景虚像ｇ２０２Ｃが形成され、中景画像ｇ１０４Ｃに基づいて中景虚像ｇ２０４Ｃが形成され、遠景画像ｇ１０６Ｃに基づいて遠景虚像ｇ２０６Ｃが形成される。
そして、近景虚像ｇ２０２Ｃと中景虚像ｇ２０４Ｃと遠景虚像ｇ２０６Ｃとが重畳され、運転者には、画像ｇ３００Ｃに示す画像が視認される。
【００６６】
図９、図１０に示した例のように、本実施形態における複数の分割意匠（近景用の画像、中景用の画像、遠景用の画像）は、互いに隣接する分割意匠間で連続する線分を有していない。この結果、本実施形態によれば、部品の取り付け精度不良や部品の経年変化等が生じた場合であっても、互いに隣接する分割意匠間で連続する線分を有していないため、連続する垂直方向の線等の画像が水平方向にずれて見えることを低減することができる。
【００６７】
＜車両用表示装置１Ａの処理＞
次に、車両用表示装置１Ａが行う処理手順の例を説明する。
図１１は、本実施形態に係る車両用表示装置１Ａが行う処理のフローチャートである。なお、車両用表示装置１が行う処理と同じ処理については同じ符号を用いて説明を省略する。画像分割部３２Ａは、図６に示したフローチャートのステップＳ２の処理の代わりにステップＳ１０１の処理を行う。
【００６８】
（ステップＳ１０１）画像分割部３２Ａは、画像出力装置１０が出力した表示画像を、近景用の画像、中景用の画像、遠景用の画像に分割する。続けて、画像分割部３２Ａは、分割した近景画像と中景画像との間で連続する線や画像の一部を削除し、分割された領域間で非連続にする。続けて、画像分割部３２Ａは、分割した中景画像と遠景画像との間で連続する線や画像の一部を削除し、分割された領域間で非連続にする。続けて、画像分割部３２Ａは、近景用の画像以外の領域を黒画像にして近景画像を生成する。続けて、画像分割部３２Ａは、中景用の画像以外の領域を黒画像にして中景画像を生成する。続けて、画像分割部３２Ａは、遠景用の画像以外の領域を黒画像にして遠景画像を生成する。なお、本実施形態においても、表示画像を分割する工程は、近景画像、中景画像、遠景画像を生成する工程を含める。
【００６９】
＜表示画像、液晶パネルに表示される画像、虚像、視認される画像それぞれが時系列に変化する場合＞
次に、表示画像、液晶パネルに表示される画像、虚像、視認される画像それぞれが時系列に変化する場合の例を説明する。
【００７０】
図１２は、本実施形態に係る液晶パネルに表示される表示画像、虚像、運転者に視認される画像それぞれが時系列で変化する例を表す図である。なお、図１２は、ＬＫＡＳによる画像、ＡＣＣによる画像の例である。
また、図１２において、各時刻における表示画像は省略している。各時刻における表示画像は、視認される画像ｇ３００Ｄｔ１〜ｇ３００Ｄｔ４の二次元画像である。
【００７１】
液晶パネル３４に表示される時刻ｔ１〜時刻ｔ４それぞれの画像には、非表示領域ｇ１０１、近景画像ｇ１０２Ｄ、非表示領域ｇ１０３、中景画像ｇ１０４Ｄ、非表示領域ｇ１０５、遠景画像ｇ１０６Ｄ、非表示領域ｇ１０７が含まれる。
図１２に示す例においても、近景画像ｇ１０２Ｄが中景画像ｇ１０４Ｄに対して手前側から連なるように表示され、中景画像ｇ１０４Ｄが遠景画像ｇ１０６Ｄに対して手前側から連なるように表示するように、液晶パネル３４の各表示領域に表示される。
【００７２】
時刻ｔ１において、画像分割部３２Ａによって分割された近景画像ｇ１０２Ｄ、中景画像ｇ１０４Ｄ、遠景画像ｇ１０６Ｄそれぞれが、画像ｇ１００Ｄｔ１のように液晶パネル３４の対応する領域に表示される。ミラー４２、第２のハーフミラー４４、第１のハーフミラー４６によって投影された画像ｇ１００Ｄｔ１によって、虚像ｇ２００Ｄｔ１が形成される。なお、近景虚像ｇ２０２Ｄｔ１は近景画像ｇ１０２Ｄｔ１に基づく虚像であり、中景虚像ｇ２０４Ｄｔ１は中景画像ｇ１０４Ｄｔ１に基づく虚像であり、遠景虚像ｇ２０６Ｄｔ１は遠景画像ｇ１０６Ｄｔ１に基づく虚像である。そして、近景虚像ｇ２０２Ｄｔ１、中景虚像ｇ２０４Ｄｔ１、遠景虚像ｇ２０６Ｄｔ１が重畳されて、運転者には画像ｇ３００Ｄｔ１が視認される。
【００７３】
以下、時刻ｔ（ｎ）（ｎは２〜４の整数）において、画像分割部３２Ａによって分割された近景画像ｇ１０２Ｄ、中景画像ｇ１０４Ｄ、遠景画像ｇ１０６Ｄそれぞれが、画像ｇ１００Ｄｔ（ｎ）のように液晶パネル３４の対応する領域に表示される。ミラー４２、第２のハーフミラー４４、第１のハーフミラー４６によって投影された画像ｇ１００Ｄｔ（ｎ）によって、虚像ｇ２００Ｄｔ（ｎ）が形成される。そして、近景虚像ｇ２０２Ｄｔ（ｎ）、中景虚像ｇ２０４Ｄｔ（ｎ）、遠景虚像ｇ２０６Ｄｔ（ｎ）が重畳されて、運転者には画像ｇ３００Ｄｔ（ｎ）が視認される。
【００７４】
以上のように、本実施形態の車両用表示装置において、複数の分割意匠は、互いに隣接する分割意匠間で連続する線分を有していない。
【００７５】
この構成により、本実施形態によれば、部品の取り付け精度不良や部品の経年変化等が生じた場合であっても、互いに隣接する分割意匠間で連続する線分を有していないため、連続する垂直方向の線等の画像が水平方向にずれて見えることを低減することができる。
【００７６】
［第３実施形態］
第１実施形態、第２実施形態では、画像出力装置１０が出力した表示画像を、画像分割部３２または３２Ａが、近景画像、中景画像、遠景画像に分割する例を説明した。
本実施形態では、画像分割部が、運転者によって指示された指示内容に応じて、表示画像を選択する例を説明する。
【００７７】
図１３は、本実施形態に係る車両用表示装置１Ｂの概略の構成図である。図１３に示すように、車両用表示装置１Ｂは、画像出力装置１０Ｂ、操作部２０、意匠表示部３０Ｂ、虚像表示部４０を備えている。意匠表示部３０Ｂは、画像分割部３２Ｂ、および液晶パネル３４を備えている。なお、車両用表示装置１と同じ機能を有する構成要素には同じ符号を用いて説明を省略する。
【００７８】
画像出力装置１０Ｂは、運転者に提供する連続する単一の意匠である表示画像の情報を画像分割部３２Ｂに出力する。ここで、表示画像の情報とは、記号の情報、文字の大きさの情報、文字の色の情報、文字の表示太さの情報、文字を表示する位置の情報、囲み画像の情報、タブ情報等である。なお、各情報については、後述する。また、画像出力装置１０Ｂは、操作部２０が出力した入力結果に応じて、表示画像を切り替える。なお、切り替えられる表示画像とは、例えば電話帳の表示画像において、名前と電話番号が表示される“Ｓｐｅｅｄ  Ｄｉａｌ”表示の画像と、電話をかけた又は着信があった履歴が表示される“Ｃａｌｌ  Ｈｉｓｔｏｒｙ”表示の画像等である。
【００７９】
操作部２０は、ジョイスティック、タッチパネル、十字型のキー等である。操作部２０は、運転者、または助手席に着席している乗員からの操作を受け付け、受け付けた入力結果を、画像出力装置１０Ｂと画像分割部３２Ｂに出力する。
【００８０】
画像分割部３２Ｂは、画像出力装置１０Ｂが出力した表示画像を操作部２０が出力した入力結果に応じて、近景画像、中景画像、遠景画像に分割する。また、画像分割部３２Ｂは、操作部２０が出力した入力結果に応じて文字のサイズまたは文字の表示太さを変更する。なお、画像分割部３２Ｂは、液晶パネル３４の駆動回路も有している。画像分割部３２Ｂは、分割した近景画像を第１の表示領域３４２に表示させ、中景画像を第２の表示領域３４４に表示させ、遠景画像を第３の表示領域３４６に表示させる。なお、本実施形態においても、画像分割部３２Ｂは、分割された近接する２つの画像間で連続する線や画像が存在する場合、第２実施形態と同様に画像間で連続する線や画像を削除するようにしてもよい。
【００８１】
＜表示画像、運転者に視認される画像の例＞
次に、電話帳の画像データを用いて、表示画像、運転者に視認される画像の例を説明する。
図１４は、本実施形態に係る電話帳の表示画像の例、運転者に視認される画像の例である。図１４において、画像ｇ５０１は、画像出力装置１０Ｂから出力される電話帳の表示画像の例であり、画像ｇ５２１は、運転者に視認される画像の例である。
【００８２】
画像ｇ５０１において、符号ｇ５１１と符号ｇ５１２が示す領域は、タブ画像の一例である。運転者が操作部２０を操作することで、“Ｓｐｅｅｄ  Ｄｉａｌ”のタブと、“Ｃａｌｌ  Ｈｉｓｔｏｒｙ”のタブとの表示が切り替えられる。画像ｇ５０１は、“Ｃａｌｌ  Ｈｉｓｔｏｒｙ”のタブが選択された場合の“Ｃａｌｌ  Ｈｉｓｔｏｒｙ”表示の例である。符号ｇ５１３〜ｇ５１５が示す領域は、記号の画像の一例である。符号ｇ５１３は発信を表し、符号ｇ５１４は着信を表し、符号ｇ５１５は折り返し返信（以下、単に返信等もいう）を表す。符号ｇ５１６が示す領域は、文字の画像である。文字は、例えば、名前、電話番号である。
【００８３】
また、記号の情報とは、記号を表示させる位置、記号の種類、記号の表示色、記号の画像サイズ等の情報である。
また、文字の大きさの情報とは、文字の大きさに関する情報であり、文字の色の情報とは、文字の表示色に関する情報であり、文字の表示太さの情報とは、文字の表示太さに関する情報であり、文字を表示する位置の情報とは、文字を表示させる位置に関する情報である。
【００８４】
画像ｇ５２１において、符号ｇ５３１が示す領域は、操作部２０が運転者の操作によって選択された箇所（記号、文字の少なくとも１つを含む）を示す囲み画像の例である。
囲み画像の情報とは、囲み画像が表示される位置に関する情報、囲み画像の表示色に関する情報等である。
【００８５】
次に、運転者によって選択された箇所に応じて表示画像を分割する例を説明する。
図１５は、本実施形態に係る運転者によって選択された箇所に応じて表示画像を分割する例を表す図である。図１５において、発信が行われた電話番号“０１２３４１２３４５６７８１５”が選択された状態を状態ｊ１、着信があった相手の名前“Ｍｉｃｈａｅｌ  Ｃｅｖｅｒｔ”が選択された状態を状態ｊ２、返信が行われた相手の名前“Ｆｒａｎｃｏｉｓ  Ｓｃｈｕｍａｃｈｅｒ”が選択された状態を状態ｊ３とする。
【００８６】
状態ｊ１の場合、画像分割部３２Ｂは、画像ｇ１００Ｅｊ１に示すように表示画像を３つに分割し、選択された発信が行われた電話番号の画像（含む記号の画像）を近景用の画像として選択する。続けて、画像分割部３２Ｂは、選択された箇所の文字の大きさを表示画像の文字の大きさより大きくする。続けて、画像分割部３２Ｂは、液晶パネル３４の対応する領域に分割された画像を表示させる。なお、近景画像には、囲み画像が画像分割部３２Ｂによって付加されている。
【００８７】
状態ｊ２の場合、画像分割部３２Ｂは、画像ｇ１００Ｅｊ２に示すように表示画像を３つに分割し、選択された着信があった相手の名前の画像（含む記号の画像）を近景用の画像として選択する。続けて、画像分割部３２Ｂは、選択された箇所の文字の大きさを表示画像の文字の大きさより大きくする。続けて、画像分割部３２Ｂは、液晶パネル３４の対応する領域に分割された画像を表示させる。
【００８８】
状態ｊ３の場合、画像分割部３２Ｂは、画像ｇ１００Ｅｊ３に示すように表示画像を３つに分割し、選択された返信が行われた相手の名前の画像（含む記号の画像）を近景用の画像として選択する。続けて、画像分割部３２Ｂは、選択された箇所の文字の大きさを表示画像の文字の大きさより大きくする。続けて、画像分割部３２Ｂは、液晶パネル３４の対応する領域に分割された画像を表示させる。
【００８９】
具体的な例を説明する。状態ｊ１の場合、画像分割部３２Ｂは、タブ画像、発信が行われた電話番号の画像（含む記号の画像）を、近景用の画像ｇ１０２Ｅ、残りの画像を中景用の画像ｇ１０４Ｅとして分割する。さらに、画像分割部３２Ｂは、遠景用の画像ｇ１０６Ｅに黒画像を割り当てる。続けて、画像分割部３２Ｂは、近景用の画像ｇ１０２Ｅ以外の領域を黒画像にし、中景用の画像ｇ１０４Ｅ以外の領域を黒画像にする。これにより、液晶パネル３４には、画像ｇ１００Ｅｊ１に示すように、非表示領域ｇ１０１、近景画像ｇ１０２Ｅ、非表示領域ｇ１０３、中景画像ｇ１０４Ｅ、非表示領域ｇ１０５、遠景画像ｇ１０６Ｅ（黒画像）、非表示領域ｇ１０７が表示される。
【００９０】
虚像ｇ２００Ｅｊ１は、状態ｊ１の虚像の例である。
近景虚像ｇ２０２Ｅｊ１は、近景画像ｇ１０２Ｅに基づく虚像であり、投影面５０から最も近い位置に形成される。遠景虚像ｇ２０６Ｅｊ１は、遠景画像ｇ１０６Ｅに基づく虚像であり、近景虚像ｇ２０２Ｅｊ１、中景虚像ｇ２０４Ｅｊ１、遠景虚像ｇ２０６Ｅｊ１のうち投影面５０から最も遠い位置に形成される。中景虚像ｇ２０４Ｅｊ１は、中景画像ｇ１０４Ｅに基づく虚像であり、近景虚像ｇ２０２Ｅｊ１と遠景虚像ｇ２０６Ｅｊ１との間の位置に形成される。
【００９１】
画像ｇ３００Ｅｊ１は、近景虚像ｇ２０２Ｅｊ１、中景虚像ｇ２０４Ｅｊ１、遠景虚像ｇ２０６Ｅｊ１が重畳され、運転者に視認される画像の例である。
状態ｊ１では、選択された発信が行われた電話番号の画像の文字の大きさが大きくされ、かつ運転者にとって最も手前の画像の近景用の画像に画像分割部３２Ｂによって分割される。また、状態ｊ１では、残りの画像の文字の大きさは変更されず、さらに残りの画像が中景用の画像に画像分割部３２Ｂによって分割される。これにより、運転者には、選択した発信が行われた電話番号の画像が最も手前に表示されることで、より強調されて視認される。
【００９２】
状態ｊ２の場合は、画像分割部３２Ｂによって、着信があった相手の名前の画像が近景用の画像に分割され、残りが中景用の画像として分割され、遠景用の画像に黒画像が割り当てられる。これにより、運転者には、選択した着信があった相手の名前の画像が最も手前に表示されることで、より強調されて視認される。
【００９３】
状態ｊ３の場合は、画像分割部３２Ｂによって、返信が行われた相手の名前の画像が近景用の画像、残りが中景用の画像として分割され、遠景用の画像に黒画像を割り当てられる。これにより、運転者には、選択した返信を行った相手の名前の画像が最も手前に表示されることで、より強調されて視認される。
【００９４】
以上のように、本実施形態の車両用表示装置において、手前側分割意匠（近景画像ｇ１０２Ｅ）は、複数の分割意匠のうち、運転者によって選択された意匠の一部である。
【００９５】
この構成により、本実施形態によれば、運転者によって選択された箇所の画像を最も手前に表示されることができるので、運転者が選択した箇所を強調して表示することができる。
【００９６】
なお、第２実施形態、第３実施形態においても、連続する１つの意匠が分割される数は２つ、４つ以上であってもよい。
また、第１実施形態〜第３実施形態では、連続する１つの表示画像を水平方向に分割する例を説明したが、表示画像を垂直方向、または領域毎に分割するようにしてもよい。
また、実施形態では、運転者（観察者）に画像を提供する例を説明したが、助手席に着席している同乗者、後部座席に着席している同乗者に画像を提供するようにしてもよい。
【００９７】
［その他の例］
図１５では、電話帳の画像を３つに分割することで、運転者が選択した箇所を強調する例を説明した。
ここで、液晶パネル３４の３つの分割された領域に警告表示を行う例を説明する。なお、車両用表示装置１の構成で説明を行うが、車両用表示装置１Ａまたは車両用表示装置１Ｂの構成であってもよい。
図１６は、実施形態に係る液晶パネル３４の３つの分割された領域に警告表示を行う例を表す図である。図１６に示す例は、シートベルトが装着されていないため、警告を表示させる例である。
【００９８】
図１６に示すように、時刻ｔ１において、画像分割部３２Ｂは、画像出力装置１０が出力した表示画像を遠景画像ｇ１０６Ｆとし、近景画像ｇ１０２Ｆおよび中景画像ｇ１０４Ｆを黒画像とする。これにより、虚像ｇ２００Ｆｔ１（近景虚像ｇ２０２Ｆｔ１、中景虚像ｇ２０４Ｆｔ１、遠景虚像ｇ２０６Ｆｔ１）が形成され、虚像ｇ２００Ｆｔ１に基づく画像ｇ３００Ｆｔ１が運転者に視認される。
【００９９】
時刻ｔ２において、画像分割部３２Ｂは、画像出力装置１０が出力した表示画像を中景画像ｇ１０４Ｆとし、近景画像ｇ１０２Ｆおよび遠景画像ｇ１０６Ｆを黒画像とする。これにより、虚像ｇ２００Ｆｔ２（近景虚像ｇ２０２Ｆｔ２、中景虚像ｇ２０４Ｆｔ２、遠景虚像ｇ２０６Ｆｔ２）が形成され、虚像ｇ２００Ｆｔ２に基づく画像ｇ３００Ｆｔ２が運転者に視認される。
【０１００】
時刻ｔ３において、画像分割部３２Ｂは、画像出力装置１０が出力した表示画像を近景画像ｇ１０２Ｆとし、中景画像ｇ１０４Ｆおよび遠景画像ｇ１０６Ｆを黒画像とする。これにより、虚像ｇ２００Ｆｔ３（近景虚像ｇ２０２Ｆｔ３、中景虚像ｇ２０４Ｆｔ３、遠景虚像ｇ２０６Ｆｔ３）が形成され、虚像ｇ２００Ｆｔ３に基づく画像ｇ３００Ｆｔ３が運転者に視認される。
【０１０１】
これにより、時刻ｔ１〜時刻ｔ３において、運転者には、シートベルトの装着を促す警告画像が、奥から徐々に手前に迫ってくるように視認される。このような画像を視認することで、運転者はシートベルトの装着を促す警告を、従来技術のようにランプ等の警告と比較して、知覚しやすくなる。
【０１０２】
なお、本発明における車両用表示装置１、１Ａ，１Ｂの機能を実現するためのプログラムをコンピュータ読み取り可能な記録媒体に記録して、この記録媒体に記録されたプログラムをコンピュータシステムに読み込ませ、実行することにより表示画像の出力、表示画像の分割等を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１０３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１０４】
１、１Ａ、１Ｂ…車両用表示装置、１０、１０Ｂ…画像出力装置、２０…操作部、３０、３０Ａ、３０Ｂ…意匠表示部、３２、３２Ａ、３２Ｂ…画像分割部、３４…液晶パネル、４０…虚像表示部、４２…ミラー、４４…第２のハーフミラー、４６…第１のハーフミラー、５０…投影面、３４２…第１の表示領域、３４４…第２の表示領域、３４６…第３の表示領域、ｇ１０２、ｇ１０２Ａ、ｇ１０２Ｂ、ｇ１０２Ｃ、ｇ１０２Ｄ、ｇ１０２Ｅ…近景画像、ｇ１０４、ｇ１０４Ａ、ｇ１０４Ｂ、ｇ１０４Ｃ、ｇ１０４Ｄ、ｇ１０４Ｅ…中景画像、ｇ１０６、ｇ１０６Ａ、ｇ１０６Ｂ、ｇ１０６Ｃ、ｇ１０６Ｄ、ｇ１０６Ｅ…遠景画像、ｇ２００、ｇ２００Ｂ、ｇ２００Ｃ、ｇ２００Ｄｔ１〜ｇ２００Ｄｔ４、ｇ２００Ｅｊ１〜ｇ２００Ｅｊ３、ｇ２００Ｆｔ１〜ｇ２００Ｆｔ３…虚像、ｇ２０２、ｇ２０２Ｂ、ｇ２０２Ｃ、ｇ２０２Ｄｔ１〜ｇ２０２Ｄｔ４、ｇ２０２Ｅｊ１〜ｇ２０２Ｅｊ３、ｇ２０２Ｆｔ１〜ｇ２０２Ｆｔ３…近景虚像、ｇ２０４、ｇ２０４Ｂ、ｇ２０４Ｃ、ｇ２０４Ｄｔ１〜ｇ２０４Ｄｔ４、ｇ２０４Ｅｊ１〜ｇ２０４Ｅｊ３、ｇ２０４Ｆｔ１〜ｇ２０４Ｆｔ３…中景虚像、ｇ２０６、ｇ２０６Ｂ、ｇ２０６Ｃ、ｇ２０６Ｄｔ１〜ｇ２０６Ｄｔ４、ｇ２０６Ｅｊ１〜ｇ２０６Ｅｊ３、ｇ２０６Ｆｔ１〜ｇ２０６Ｆｔ３…遠景虚像
【図２】
2017030737.tif 000003
【図５】
2017030737.tif 000004
【図１１】
2017030737.tif 000005
【図１】
2017030737.tif 000006
【図３】
2017030737.tif 000007
【図４】
2017030737.tif 000008
【図６】
2017030737.tif 000009
【図７】
2017030737.tif 000010
【図８】
2017030737.tif 000011
【図９】
2017030737.tif 000012
【図１０】
2017030737.tif 000013
【図１２】
2017030737.tif 000014
【図１３】
2017030737.tif 000015
【図１４】
2017030737.tif 000016
【図１５】
2017030737.tif 000017
【図１６】
2017030737.tif 000018